(57)【要約】  本発明は、容器用、具体的には缶用の蓋に関し、該蓋は、所定の破断線に少なくとも部分的に囲まれた破断開封領域を有するとともに上に固定要素が配置されている蓋パネルと、蓋パネルの下側の方向に所定の破断線に沿って破断開封領域を破断開封し、それにより蓋パネルに取り出し口を設けるために固定要素に回転可能に取り付けられたレバータブと、レバータブに取り付けられた密閉要素であって、該密閉要素は蓋パネルの上側に設置するのに適しており、および取り出し口を密閉するために取り出し口を密閉するように取り囲む密閉要素と、取り出し口が密閉要素によって密閉されているときに、密閉要素をロックするためのロック要素とを含む。【選択図】図１Ｅ
2021528325.tif 000002
【特許請求の範囲】
【請求項１】
容器用、具体的に飲料缶用の蓋であって、
所定の破断線に少なくとも部分的に囲まれた破断開封領域を有するとともに上に固定要素が配置されている蓋パネルと、
前記蓋パネルの下側の方向に前記所定の破断線に沿って前記破断開封領域を破断開封し、それにより前記蓋パネルに取り出し口を設けるために前記固定要素に回転可能に取り付けられたレバータブと、
レバータブに取り付けられた密閉要素であって、前記密閉要素は前記取り出し口を密閉するためのものであり、前記蓋パネルの上側に設置され、前記取り出し口を密閉することができる密閉要素と、
前記取り出し口が前記密閉要素によって密閉されているときに、前記密閉要素をロックするためのロック要素とを含む、蓋。
【請求項２】
前記破断領域を破断するための破断要素が前記レバータブの第１端部に配置され、および前記密閉要素が前記レバータブの第２端部に配置され、及び好ましくは前記第１端部および前記第２端部は前記固定要素に対して互いに対向して設けられる、請求項１に記載の蓋。
【請求項３】
前記レバータブは、具体的にアルミニウムを含むシート材のシート材およびプラスチック材を含む、請求項１または２に記載の蓋。
【請求項４】
前記密閉要素は、前記取り出し口を密閉するための弾性シールを含み、ここで前記弾性シールは、前記取り出し口を密閉して取り囲みながら前記蓋パネルの上側に設置することができ、および請求項３との組み合わせで前記弾性シールは、好ましくは前記プラスチック材の上に、または部分的に前記プラスチック材の中に配置される、請求項１から３のいずれか１つに記載の蓋。
【請求項５】
前記レバータブは、前記レバータブを前記固定要素に固定するための固定舌部を含み、請求項３との組み合わせで前記固定舌部は好ましくは前記シート材から形成される、請求項１から４のいずれか１つに記載の蓋。
【請求項６】
前記ロック要素は前記密閉要素の上に配置され、または、前記密閉要素は前記ロック要素を含む、請求項１から５のいずれか１つに記載の蓋。
【請求項７】
前記ロック要素は、変位可能または回転可能に設けられ、および前記ロック要素は、ユーザによる作動のための作動部分とラッチ部分とを含み、前記ラッチ位部分は前記ラッチ部分と前記蓋パネルの下側との機械的相互作用によって前記密閉要素をロックするために前記作動部分に連結している、請求項１から６のいずれか１つに記載の蓋。
【請求項８】
前記ロック要素は、前記蓋パネルと少なくとも部分的に平行な軸のまわりを回転可能であり、前記ラッチ部分は折り畳まれて前記蓋パネルの下側と機械的に接触可能であるか、または展開されると機械的接触を開放可能であり、あるいは、前記ロック要素は、前記蓋パネルと少なくとも部分的に垂直な軸のまわりを回転可能であり、前記ラッチ部分は回転して蓋パネルの下側と機械的に接触可能であるか、または回転して機械的接触を開放可能である、請求項７に記載の蓋。
【請求項９】
前記ロック要素の前記作動部分は、前記密閉要素の上側に配置され、および前記ラッチ部分は、前記密閉要素の下側に配置される、請求項７または８に記載の蓋。
【請求項１０】
前記ロック要素は通気口を含む、請求項１から９のいずれか１つに記載の蓋。
【請求項１１】
前記通気口は、前記ロック要素によって実行可能なロック操作中に密閉可能であり、前記ロック要素によって実行可能なアンロック操作中に開放可能である、請求項１０に記載の蓋。
【請求項１２】
前記通気口は、前記ロック要素の前記ラッチ部分に設けられる、請求項１０または１１に記載の蓋。
【請求項１３】
前記固定要素を取り囲むシールが、前記レバータブの下側に設けられ、具体的に請求項３との組み合わせで前記レバータブの前記プラスチック材に配置され、および／または前記レバータブの前記プラスチック材と一体形成される、請求項１から１２のいずれか１つに記載の蓋。
【請求項１４】
容器、具体的に缶であって、
基体と、
請求項１から１３のいずれか１つに記載の蓋とを含む、容器。  
【発明の詳細な説明】
【技術分野】
【０００１】
本発明は、容器用、具体的に飲料缶用の蓋に関し、該蓋は、所定の破断線に少なくとも部分的に囲まれた破断開封領域を有するとともに上に固定要素が配置されている蓋パネルと、蓋パネルの下側の方向に所定の破断線に沿って破断開封領域を破断開封し、それにより蓋パネルに取り出し口を設けるために固定要素に回転可能に取り付けられたレバータブとを含む。
【背景技術】
【０００２】
上記のタイプの蓋は先行技術において知られており、例えば、飲料缶に使用されている。缶は、初めに開封される前にシート材（アルミニウム）で作られた蓋により完全に密閉されている。開封するには、ユーザは片方の手でレバータブを持ち上げ、それによりレバータブの反対側が破断開封領域を圧迫し、既存の所定の破断線（通常は蓋材料の上に凹部として形成されている）に沿って破断開封し、缶内部に押し込む。これにより取り出し口（注ぎ口、飲み口）が設けられる。缶を初めに開封した後、取り出し口を再び密閉することができないことが欠点である。
【発明の概要】
【０００３】
本発明は、上述の欠点を解消することを課題とする。
【０００４】
本課題は、請求項１に記載の容器用の蓋によって解決される。
【０００５】
本発明による、容器用、具体的に缶用の蓋は、所定の破断線に少なくとも部分的に囲まれた破断開封領域を有するとともに上に固定要素が配置されている蓋パネルと、蓋パネルの下側の方向に所定の破断線に沿って破断開封領域を破断開封し、それにより蓋パネルに取り出し口を設けるために固定要素に回転可能に取り付けられたレバータブと、レバータブに取り付けられた密閉要素であって、該密閉要素は蓋パネルの上側に配置するのに適しており、および取り出し口を密閉するように取り囲む密閉要素と、取り出し口が密閉要素によって密閉されているときに、密閉要素をロックするためのロック要素を含む。
【０００６】
本発明によると、容器が初めに開封された後、レバータブは固定要素のまわりを回転され、密閉要素は蓋パネルの上に静置して配置され、取り出し口を密閉するように取り囲み、その結果、取り出し口は密閉（または再密閉）される。偶発的な開封（およびそれに関連する不意な液体の漏出）も防ぐために、密閉要素はロック要素によってロックされる。具体的に、これにより、（缶に炭酸飲料が含まれている場合）密閉要素が缶の内部圧力により圧力開封されるのを防ぐことができる。
【０００７】
本発明による蓋は、破断領域を破断するための破断要素がレバータブの第１端部に配置され、および、密閉要素がレバータブの第２端部に配置されるように、さらに形成することができる。それによって、第１端部および第２端部は固定要素に対して互いに対向して設けられてもよい。したがって、破断要素および密閉要素は互いに間隔を空けて配置され、容器が初めに開封されたときに破断要素がどのように変形しても、密閉要素およびその密閉作用には影響しない。
【０００８】
レバータブはシート材、具体的にアルミニウムを含むシート材およびプラスチック材を含んでもよい。シート材は、例えば、固定要素への取り付けに使用されてもよい。破断要素は、破断操作に優れた強度をもたらすために、シート材から形成されてもよい。代替的に、破断要素は、プラスチック材から形成されていてもよく、破断操作中に破断領域が局所的に接触して圧力がかけられる下側の方向に突出する押圧部を有することが好ましい。密閉要素はプラスチック材で作ることができる。製造工程では、射出成形によって板金フラップをプラスチック材で少なくとも部分的に取り囲むことができる。
【０００９】
別の実施形態によると、密閉要素は取り出し口を密閉するための弾性シールを含んでもよく、ここで弾性シールは、蓋パネルの上側に設置され、取り出し口を密閉して取り囲んでもよい。プラスチック材に関して、シールはプラスチック材の上に、または部分的にプラスチック材の中に配置されてもよい。密閉効果は、弾性シールによって改善される。このシールは、密閉要素の下側および／またはこのために設けられた凹所に弾性シールを接着し、溶接し、または挿入する／押し付けることによって単純に、プラスチック材の上、またはプラスチック材の中に配置することができる。
【００１０】
別の実施形態では、レバータブはレバータブを固定要素に固定するための固定舌部を含んでもよい。レバータブのシート材に関連して、固定舌部はシート材で形成されてもよい。
【００１１】
別の実施形態によると、ロック要素は密閉要素の上に配置されてもよく、または、密閉要素はロック要素を含んでもよい。そうすると、ロック要素は、密閉要素のまわりで固定要素が回転した後、密閉要素とともに回転する。ロック要素は、密閉要素と形状が合うように射出成形プロセス（組立射出成形）によって形成されてもよい（また密閉要素内に移動可能、具体的に回転可能である）。
【００１２】
別の実施形態では、ロック要素は、変位可能または回転可能に設けられ、およびロック要素は、ユーザによる作動のための作動部分とラッチ部分とを含むことができ、このラッチ位部分はラッチ部分と蓋パネルの下側との機械的相互作用によって密閉要素をロックするために作動部分に連結している。
【００１３】
ロック要素は、蓋パネルと少なくとも部分的に平行な軸のまわりを回転することができ、それによりラッチ部分を折り畳んで蓋パネルの下側との機械的接触をさせることができ、または展開して機械的接触を開放することができる、あるいは、ロック要素は、蓋パネルと少なくとも部分的に垂直な軸のまわりを回転することができ、それによりラッチ部分を回転して蓋パネルの下側との機械的接触をさせることができ、または回転して機械的接触を開放することができる。
【００１４】
さらに、ロック要素の作動部分は、密閉要素の上側に配置することができ、およびラッチ部分は、密閉要素の下側に配置することができる。そうすると、ユーザは上側からロック要素の作動部分に容易にアクセスすることができる。
【００１５】
別の実施形態によると、ロック要素は通気口を含むことができる。これにより、容器の最初の開封後、およびその後の密閉要素による取り出し口の密閉または再密閉の後、および取り出し口の再開封前に、容器内部の圧力減少を達成することができ、そうすることで、例えば、炭酸飲料の急な泡立ちまたは噴出を防ぐことができる。
【００１６】
この点では、通気口は、ロック要素によって実行可能なロック操作中に密閉可能な場合があり、ロック要素によって実行可能なアンロック操作中に開放可能な場合がある。このように、容器の内部と外部の間の均圧化は、アンロック操作中に生じる場合がある。
【００１７】
通気口は、ロック要素のラッチ部分に設けられてもよい。具体的には、こうすることでラッチ部分と、蓋パネルの下側（容器の蓋パネルの内側）との機械的接触によって、密閉要素がロック状態にあるときに通気口を密閉してロックすることができる。
【００１８】
別の実施形態では、固定要素を取り囲むシールが、密閉要素の下側に設けられる。レバータブのプラスチック材と連結して、このシールは、レバータブのプラスチック材に配置され、および／またはレバータブのプラスチック材と一体形成されてもよい。
【００１９】
本発明は、さらに容器、具体的に缶を提供し、この容器は基体と、本発明による蓋またはさらなる実施形態のうち１つによる蓋とを含んでいる。
【００２０】
前述のさらなる発展型は、要求に応じて、個々に、または互い適切に組み合わせて使用することができる。
【００２１】
本発明のさらなる特徴と典型的な実施形態の他、本発明の利点も、図面とともに以下の詳細な説明において説明される。実施形態は、本発明の範囲を制限する（ｅｘｈａｕｓｔ）ものではないことが理解されるであろう。後述の特徴の一部またはすべては他の方法で組み合わされてもよいことがさらに理解されるであろう。
【図面の簡単な説明】
【００２２】
【図１Ａ】図１Ａは、本発明による蓋の第１の実施形態を示す。
【図１Ｂ】図１Ｂは、本発明による蓋の第１の実施形態を示す。
【図１Ｃ】図１Ｃは、本発明による蓋の第１の実施形態を示す。
【図１Ｄ】図１Ｄは、本発明による蓋の第１の実施形態を示す。
【図１Ｅ】図１Ｅは、本発明による蓋の第１の実施形態を示す。
【図１Ｆ】図１Ｆは、本発明による蓋の第１の実施形態を示す。
【図２】図２は、本発明による蓋の第２の実施形態のためのロック要素を示す。
【発明を実施するための形態】
【００２３】
図面では、同一の参照番号は同一または同等の要素を表す。
【００２４】
図１Ａ、１Ｂ、１Ｃ、１Ｄ、１Ｅ、１Ｆは、本発明による飲料用缶用の蓋（１００）の第１実施形態を概略的に示す。
【００２５】
本第１の実施形態では、本発明による蓋（１００）は、破断開封領域（１１）が設けられたアルミニウムシート製の蓋パネル（１０）を含む。破断開封領域（１１）は、所定の破断線（１２）に部分的に囲まれている。さらに、固定要素（２０）（リベット（２０））が蓋パネル（１０）上に配置されており、およびレバータブ（３０）は固定素子（２０）に回転可能に取り付けられ、このレバータブによって蓋パネル（１０）の下側（１０ｂ）の方向に所定の破断線（１２）に沿って破断開封領域（１１）を破断開封することで蓋パネル（１０）に取り出し口（１５）が設けられる。密閉要素（４０）が、レバータブの上に配置され、この密閉要素（４０）は蓋パネル（１０）の上側（１０ａ）の取り出し口（１５）を密閉するために設けられる。密閉要素（４０）は、取り出し口（１５）を密閉して取り囲むことにより、取り出し口（１５）を上側（１０ａ）へと当接して密閉する。さらに、取り出し口（１５）が密閉要素（４０）によって密閉されているときに、密閉要素（５０）をロックするためのロック要素（４０）が設けられている。
【００２６】
破断領域（１１）を破断するための破断要素（３１）は、レバータブ（３０）の第１端部に配置され、および、ロック要素（４０）は、レバータブ（３０）の第２端部（３２）に配置される。第１端部（３１）および第２端部（３２）は、固定要素（２０）に対して互いに対向して設けられている。
【００２７】
容器が初めに開封された後、レバータブ（３０）は固定要素（２０）のまわりを回転し、密閉要素（４０）は蓋パネルの上に静置して配置され、取り出し口（１５）を密閉して取り囲み、その結果、取り出し口（１５）が密閉（または再密閉）される。偶発的な開封は、ロック要素（５０）により密閉要素（４０）（またはレバータブ（３０））をロックすることによって妨げられる。具体的に、これにより、（缶の炭酸飲料が含まれる場合）密閉要素（４０）が缶の内部圧力により圧力開封されるのを防ぐことができる。
【００２８】
レバータブ（３０）は、アルミニウムを含むシート材等のシート材、およびプラスチック材を含む。シート材は、レバータブ（３０）を固定要素（２０）へ取り付けるために使用され、およびレバータブは、レバータブ（３０）を固定要素（２０）に固定するための固定舌部（６０）を含む。固定舌部（６０）はシート材から形成される。破断要素（３１）はプラスチック材から形成されており、ここで下側の方向に突出する押圧部が圧力をかけて、破断操作中に破断領域（１１）を破断開封する。密閉要素（４０）もプラスチック材で作られる。製造工程では、射出成形によって板金フラップをプラスチック材で少なくとも部分的に取り囲む。
【００２９】
密閉要素（４０）は、取り出し口（１５）を密閉するための弾性シールを含み、ここでこの弾性シールは蓋パネル（１０）の上側（１０ａ）の上にあり、取り出し口（１５）を密閉して取り囲む。弾性シールは、密閉効果を改善する。この弾性シール（４１）は、密閉要素（４０）の下側に、例えば接着または熱溶接によって取り付けることができ、および／またはこのために密閉要素の下側に設けられた凹所／溝に押し付けることができる。
【００３０】
密閉要素（４０）はロック要素（５０）を含む。ロック要素（５０）は、密閉要素（４０）が回転した後、密閉要素（４０）とともに（レバータブ（３０）に関連して）固定要素（２０）のまわりを回転する。ロック要素（５０）は、密閉要素（４０）に確実に係合するように、また密閉要素内を移動可能となるように、射出成形プロセス（組立射出成形）によって形成することができる。
【００３１】
ロック要素（５０）はスライド可能に設けられる。ロック要素（５０）は、ユーザによる作動／変位のための作動部分（５１）およびラッチ部分（５２）とを含んでおり、このラッチ部分を取り出し口（１５）の縁の下に変位させ、蓋パネル（１０）の下側（１０ｂ）との機械的に接触させて密閉要素（４０）をロックするために作動部分（５１）に連結している。そうすることによって、下側からの圧力による圧力開封と外部からの強制作用（密閉要素（４０）の領域におけるレバータブの持ち上げ）による開封の両方を防ぐ。
【００３２】
ロック要素（５０）の作動部分（５１）は、密閉要素（４０）の上側に配置され、およびラッチ部分（５２）は、密閉要素（４０）の下側に配置される。そうすると、ユーザは上側から作動部分（５１）にアクセスすることができる。
【００３３】
ロック要素は通気口（５５）を含む。容器の最初の開封後、およびその後の密閉要素（４０）による取り出し口（１５）の密閉または再密閉の後、および取り出し口（１５）の再開封前に、容器の内部は、炭酸飲料の急な泡立ちまたは噴出を防ぐために、通気口（５５）によって減圧することができる。通気口（５５）は、ロック要素（４０）によるロック操作中に密閉され、アンロック操作中に開放される。このように、容器の内部と外部の間の均圧化は、アンロック操作中に行うことができる。
【００３４】
この実施形態では、通気口（５５）は、ロック要素（５０）のラッチ部分（５２）に設けてもよい。ラッチ部分（５２）と、蓋パネル（１０）の下側（１０ｂ）（容器の蓋パネルの内側）との機械的接触によって、密閉要素（４０）がロック状態にあるときに通気口（５５）を密閉することができる。
【００３５】
固定要素（２０）を取り囲むシール（３５）が、レバータブ（３０）の下側に設けられてもよい。このシールは、レバータブ（３０）のプラスチック材上に設けられ、および／またはレバータブのプラスチック材と一体形成されてもよい。このシール（３５）は、リベット（２０）のエリアにおいて汚染物をレバータブ（３０）の下側から隔離するように機能する。
【００３６】
図２は、本発明による飲料用缶用の蓋（１００）の第２の実施形態用のロック要素を概略的に示す。
【００３７】
図１による第１の実施形態との相違点は、実質的に、ロック要素（５０）が異なる構成を有しているという点である。ロック要素（５０）は、蓋パネル（１０）に対して垂直に延在する軸のまわりで回転可能となるように密閉要素（４０）に配置され、およびユーザによる作動／回転のための作動部分（５１）とラッチ部分（５２）とを含んでおり、このラッチ部分は密閉要素（４０）をロックするために作動部分（５１）に連結している。作動部分（５１）の回転により、ラッチ部分（５２）は、取り出し口（１５））の縁の下に回転し蓋パネル（１０）の下側（１０ｂ）と機械的に接触し、そうすることによって、密閉要素（４０）をロックする。
【００３８】
代替的に、ロック要素（５０）は、蓋パネル（１０）に対して平行な軸のまわりで密閉要素（４０）に回転可能に配置されてもよく、および作動部分（５１）が回転した後、ラッチ部分（５２）は取り出し口（１５）の縁の下に折り畳まれ、蓋パネル（１０）の下側（１０ｂ）と機械的に接触する。
【図１Ａ】
2021528325.tif 000003
【図１Ｂ】
2021528325.tif 000004
【図１Ｃ】
2021528325.tif 000005
【図１Ｄ】
2021528325.tif 000006
【図１Ｅ】
2021528325.tif 000007
【図１Ｆ】
2021528325.tif 000008
【図２】
2021528325.tif 000009
【国際調査報告】
2021528325.tif 000010
2021528325.tif 000011
2021528325.tif 000012
2021528325.tif 000013
2021528325.tif 000014
2021528325.tif 000015
2021528325.tif 000016